(57)【要約】【課題】デジタルＣＡＴＶ受信手段の同一機種に共通するプログラムのダウンロードとともに各デジタルＣＡＴＶ受信手段に固有の固有情報を容易に取得でき機能アップが簡単なデジタルＣＡＴＶ受信手段を提供することを目的とする。【解決手段】ダウンロードによりデジタルＣＡＴＶ受信手段のプログラムを更新し、双方向通信網１１１を経由して固有情報サーバ部１１２から固有情報を取得し不揮発性メモリに格納することにより、デジタルＣＡＴＶ受信手段の固有情報の追加を含めた機能アップを実現する。【選択図】図１
2006191423.tif 000002
【特許請求の範囲】
【請求項１】
デジタルＣＡＴＶ受信手段の同一機種に共通する識別子を含むデジタル放送信号を多重し送信するデジタルＣＡＴＶ送信手段から送信されたデジタル放送信号を受信する選局部と、
前記選局部の出力に自己の機種に該当する識別子が含まれている場合には自己の機種に該当するプログラムデータをダウンロードするダウンロード手段と、
自己の全体を制御する制御部と、
前記制御部が前記プログラムデータを実行することにより各デジタルＣＡＴＶ受信手段に固有の固有情報を格納した固有情報サーバ部から双方向通信網を介して前記固有情報を取得する固有情報取得部と、
前記プログラムデータおよび前記固有情報を格納する不揮発性メモリとを有し、
前記プログラムデータおよび前記固有情報に基づいて実行することを特徴とするデジタルＣＡＴＶ受信手段。
【請求項２】
固有情報取得部は、ケーブルモデムを使用することを特徴とする請求項１記載のデジタルＣＡＴＶ受信手段。
【請求項３】
固有情報取得部は、電話モデムを使用することを特徴とする請求項１記載のデジタルＣＡＴＶ受信手段。
【請求項４】
各デジタルＣＡＴＶ受信手段に固有の固有情報を格納した固有情報サーバ部、
並びに、
デジタルＣＡＴＶ受信手段の同一機種に共通する識別子を含むデジタル放送信号を多重し送信するデジタルＣＡＴＶ送信手段、
並びに、
前記デジタルＣＡＴＶ送信手段から送信されたデジタル放送信号を受信する選局部と、
前記選局部の出力に自己の機種に該当する識別子が含まれている場合には自己の機種に該当するプログラムデータをダウンロードするダウンロード手段と、
自己の全体を制御する制御部と、
前記制御部が前記プログラムデータを実行することにより前記固有情報サーバ部から双方向通信網を介して前記固有情報を取得する固有情報取得部と、
前記プログラムデータおよび前記固有情報を格納する不揮発性メモリとを有し、
前記プログラムデータおよび前記固有情報に基づいて実行することを特徴とするデジタルＣＡＴＶ受信手段を、
備えたデジタルＣＡＴＶ受信手段ダウンロードシステム。
【発明の詳細な説明】
【技術分野】
【０００１】
本発明は、デジタルＣＡＴＶ受信手段のプログラム、データをダウンロードするシステムに関するものである。
【背景技術】
【０００２】
従来のデジタル放送では、デジタルＣＡＴＶ受信手段を制御するソフトウェアのバグ修正や機能アップのため、デジタル放送信号で、デジタルＣＡＴＶ受信手段の製造メーカＩＤ、デジタルＣＡＴＶ受信手段の機種ＩＤ、プログラムＩＤなどを指定してダウンロードデータを伝送している（例えば特許文献１参照。）。図６は従来のデジタルＣＡＴＶ受信手段ダウンロードシステムの構成を示すブロック図である。１０１はデジタルＣＡＴＶ送信手段、１０２は衛星などからデジタルＣＡＴＶ送信手段でサービス運用する番組を受信するチューナ、１０３はデジタルＣＡＴＶ受信手段のダウンロード用プログラム送出部、１０４は複数番組、ダウンロード用プログラムデータなどのデジタル信号を合成する多重化部、１０５は多重化されたデジタル信号をチャンネルごとに送出するための変調部、１０６はデジタルＣＡＴＶ受信手段、１０７は受信チャンネルを選択するための選局部、１０８はデジタルＣＡＴＶ受信手段全体を制御する制御部であるシステムコントローラ、１０９はデジタルＣＡＴＶ受信手段のプログラムやデジタルＣＡＴＶ受信手段の固有情報を格納する不揮発性メモリである。図７は従来のダウンロード処理のフローチャートである。デジタルＣＡＴＶ受信手段は、受信したデジタル放送信号の、前記製造メーカＩＤ、機種ＩＤなどでダウンロード可否を判断し実行することにより、対象となるメーカの該当機種のデジタルＣＡＴＶ受信手段が一斉にダウンロードを実行することができる。
【特許文献１】特開２００２−２８１４０２号公報
【発明の開示】
【発明が解決しようとする課題】
【０００３】
しかしながら、機能アップのために、デジタルＣＡＴＶ受信手段ごとに異なる固有情報を新たにデジタルＣＡＴＶ受信手段内部に格納する必要があった場合、前記ダウンロードのシステムでは対応できず、市場にあるデジタルＣＡＴＶ受信手段を回収してデジタルＣＡＴＶ受信手段固有の固有情報を書き込むなど１台ずつの対応が必要となり、機能アップを簡単にできないという問題点があった。
【０００４】
本発明は、デジタルＣＡＴＶ受信手段の同一機種に共通するプログラムのダウンロードとともに各デジタルＣＡＴＶ受信手段に固有の固有情報を容易に取得でき機能アップが簡単なデジタルＣＡＴＶ受信手段を提供することを目的とする。
【課題を解決するための手段】
【０００５】
本発明のデジタルＣＡＴＶ受信手段は、デジタルＣＡＴＶ受信手段の同一機種に共通する識別子を含むデジタル放送信号を多重し送信するデジタルＣＡＴＶ送信手段から送信されたデジタル放送信号を受信する選局部と、前記選局部の出力に自己の機種に該当する識別子が含まれている場合には自己の機種に該当するプログラムデータをダウンロードするダウンロード手段と、自己の全体を制御する制御部と、前記制御部が前記プログラムデータを実行することにより各デジタルＣＡＴＶ受信手段に固有の固有情報を格納した固有情報サーバ部から双方向通信網を介して前記固有情報を取得する固有情報取得部と、前記プログラムデータおよび前記固有情報を格納する不揮発性メモリとを有し、前記プログラムデータおよび前記固有情報に基づいて実行することを特徴とする。
【０００６】
また、本発明のデジタルＣＡＴＶ受信手段は、固有情報取得部は、ケーブルモデムを使用することを特徴とする。
【０００７】
さらに、本発明のデジタルＣＡＴＶ受信手段は、固有情報取得部は、電話モデムを使用することを特徴とする。
【０００８】
本発明のデジタルＣＡＴＶ受信手段ダウンロードシステムは、各デジタルＣＡＴＶ受信手段に固有の固有情報を格納した固有情報サーバ部、並びに、
デジタルＣＡＴＶ受信手段の同一機種に共通する識別子を含むデジタル放送信号を多重し送信するデジタルＣＡＴＶ送信手段、並びに、
前記デジタルＣＡＴＶ送信手段から送信されたデジタル放送信号を受信する選局部と、前記選局部の出力に自己の機種に該当する識別子が含まれている場合には自己の機種に該当するプログラムデータをダウンロードするダウンロード手段と、自己の全体を制御する制御部と、前記制御部が前記プログラムデータを実行することにより前記固有情報サーバ部から双方向通信網を介して前記固有情報を取得する固有情報取得部と、前記プログラムデータおよび前記固有情報を格納する不揮発性メモリとを有し、前記プログラムデータおよび前記固有情報に基づいて実行することを特徴とするデジタルＣＡＴＶ受信手段を、備えたことを特徴とする。
【発明の効果】
【０００９】
以上のように、本発明は、デジタルＣＡＴＶ受信手段の同一機種に共通するプログラムのダウンロードとともに各デジタルＣＡＴＶ受信手段に固有の固有情報を容易に取得でき機能アップが簡単なデジタルＣＡＴＶ受信手段を提供することができる。
【発明を実施するための最良の形態】
【００１０】
（実施の形態１）
図１は、本発明の実施の形態１におけるデジタルＣＡＴＶ受信手段ダウンロードシステムの構成を示すブロック図である。１０１はデジタルＣＡＴＶ送信手段、１０２は衛星などからデジタルＣＡＴＶ送信手段でサービス運用する番組を受信するチューナ、１０３はデジタルＣＡＴＶ受信手段のダウンロード用プログラム送出部、１０４は複数番組、ダウンロード用プログラムデータなどのデジタル信号を合成する多重化部、１０５は多重化されたデジタル信号をチャンネルごとに送出するための変調部、１０６はデジタルＣＡＴＶ受信手段、１０７は受信チャンネルを選択するための選局部、１０８はデジタルＣＡＴＶ受信手段全体を制御する制御部であるシステムコントローラ、１０９はデジタルＣＡＴＶ受信手段のプログラムやデジタルＣＡＴＶ受信手段の固有情報を格納する不揮発性メモリ、１１０は双方向通信網により固有情報サーバ部１１２からデジタルＣＡＴＶ受信手段の固有情報を取得する固有情報取得部、１１１は双方向通信網、１１２はデジタルＣＡＴＶ送信手段で管理しているデジタルＣＡＴＶ受信手段ごとに対応した固有情報などを格納している固有情報サーバ部１１２である。
【００１１】
図２は本発明の実施の形態１におけるダウンロード処理のフローチャートである。ステップ２０１では、デジタルＣＡＴＶ受信手段１１６はデジタル放送信号を受信する。ステップ２０２では、ダウンロードデータがあるか否かをチェックする。ＮＯの場合はステップ２０１に戻り、ＹＥＳの場合はステップ２０３に進む。ステップ２０３では、ダウンロードデータ内のメーカーＩＤ、機種ＩＤを抽出する。
ステップ２０４では、デジタル放送信号の中に当該デジタルＣＡＴＶ受信手段１１６のＩＤと一致する上記メーカーＩＤ、機種ＩＤがあるか否かをシステムコントローラ１０８がチェックする。ＮＯの場合はステップ２０１に戻り、ＹＥＳの場合はステップ２０５に進む。ステップ２０５では、当該機種でダウンロード実行可能なダウンロードデータがあるとしてダウンロードデータを受信する。
ステップ２０６では、ダウンロードデータを不揮発性メモリ１０９に格納、更新する。ステップ２０７では、ダウンロードデータで更新したソフトを起動する。ステップ２０８では、更新されたプログラムを実行することにより、固有情報の取得処理を行う。
【００１２】
固有情報の取得処理について図３を用いて説明する。図３は本発明の実施の形態１における固有情報取得処理のフローチャートである。ステップ３０１では、固有情報の取得処理を開始する。ステップ３０２では、双方向通信網により固有情報サーバ部１１２へ接続する。ステップ３０３では、固有情報サーバ部１１２にデジタルＣＡＴＶ受信手段の識別情報を送信する。ステップ３０４では、固有情報サーバ部１１２からデジタルＣＡＴＶ受信手段の識別情報に対応する固有情報を取得する。ステップ３０５では、取得した固有情報を不揮発性メモリに格納する。ステップ３０６では、システムコントローラ１０８がデジタルＣＡＴＶ受信手段のメーカーＩＤ、機種ＩＤに共通のプログラムに、デジタルＣＡＴＶ受信手段ごとに異なる固有情報の追加を行い機能アップを完了する。ここで、固有情報サーバ部１１２はデジタルＣＡＴＶ送信手段とは別の場所に設置しても良い。
【００１３】
以上のように、実施の形態１のデジタルＣＡＴＶ受信手段ダウンロードシステムは、デジタルＣＡＴＶ受信手段の機能アップにおいて、デジタルＣＡＴＶ受信手段ごとに異なる固有情報をデジタルＣＡＴＶ受信手段内部に追加して格納する必要がある場合に、ダウンロードによって更新されたデジタルＣＡＴＶ受信手段のプログラムを実行して、デジタルＣＡＴＶ送信手段などの固有情報サーバ部１１２から追加が必要となるデジタルＣＡＴＶ受信手段の固有情報を自動的に取得することによって、ダウンロードにより簡単にデジタルＣＡＴＶ受信手段の機能アップができる利点がある。
（実施の形態２）
図４は、本発明の実施の形態２におけるデジタルＣＡＴＶ受信手段ダウンロードシステムの構成を示すブロック図である。双方向通信網として、ＣＡＴＶ回線網１１４を使用し、固有情報取得部１１０を、ケーブルモデム部１１３で構成し、図２、図３のダウンロード処理を行うことにより機能アップを完了する。ケーブルモデム部は、デジタルＣＡＴＶ受信手段に内蔵ではなく、外部にケーブルモデムを接続しても良い。
（実施の形態３）
図５は、本発明の実施の形態３におけるデジタルＣＡＴＶ受信手段ダウンロードシステムの構成を示すブロック図である。双方向通信網として、電話回線網１１６を使用し、固有情報取得部１１０を、電話モデム部１１５で構成し、図２、図３のダウンロード処理を行うことにより機能アップを完了する。
【産業上の利用可能性】
【００１４】
本発明のデジタルＣＡＴＶ受信手段ダウンロードシステムは、デジタルＣＡＴＶ受信手段の機能アップにおいて、デジタルＣＡＴＶ受信手段ごとに異なる固有情報をデジタルＣＡＴＶ受信手段内部に追加して格納する必要がある場合に、ダウンロードによって更新されたデジタルＣＡＴＶ受信手段のプログラムを実行して、デジタルＣＡＴＶ送信手段などの固有情報サーバ部１１２から追加が必要となるデジタルＣＡＴＶ受信手段の固有情報を自動的に取得することによって、ダウンロードにより簡単にデジタルＣＡＴＶ受信手段の機能アップができる利点を有し、市場で使用されているデジタルＣＡＴＶ受信手段の機能アップに対応する技術として有用である。
【図面の簡単な説明】
【００１５】
【図１】本発明の実施の形態１におけるデジタルＣＡＴＶ受信手段ダウンロードシステムの構成を示すブロック図
【図２】本発明の実施の形態１におけるダウンロード処理のフローチャート
【図３】本発明の実施の形態１における固有情報取得処理のフローチャート
【図４】本発明の実施の形態２におけるデジタルＣＡＴＶ受信手段ダウンロードシステムの構成を示すブロック図
【図５】本発明の実施の形態３におけるデジタルＣＡＴＶ受信手段ダウンロードシステムの構成を示すブロック図
【図６】従来のデジタルＣＡＴＶ受信手段ダウンロードシステムの構成を示すブロック図
【図７】従来のダウンロード処理のフローチャート
【符号の説明】
【００１６】
１０１    デジタルＣＡＴＶ送信手段
１０２    チューナ
１０３    プログラム送出部
１０４    多重化部
１０５    変調部
１０６    デジタルＣＡＴＶ受信手段
１０７    選局部
１０８    システムコントローラ
１０９    不揮発性メモリ
１１０    固有情報取得部
１１１    双方向通信網
１１２    固有情報サーバ部
１１３    ケーブルモデム部
１１４    ＣＡＴＶ回線網
１１５    電話モデム部
１１６    電話回線網
【図１】
2006191423.tif 000003
【図２】
2006191423.tif 000004
【図３】
2006191423.tif 000005
【図４】
2006191423.tif 000006
【図５】
2006191423.tif 000007
【図６】
2006191423.tif 000008
【図７】
2006191423.tif 000009